(57)【特許請求の範囲】
【請求項１】
円筒形状のパンチガイドと、前記パンチガイドの内部に軸線方向へ往復動自在に支持されてその端部にパンチ刃部を有するパンチボディと、前記パンチボディに取り付けられるパンチヘッドと、前記パンチガイドの端部に対して着脱自在に取り付けられるリテーナと、前記パンチヘッドと前記リテーナとの間に設けられる弾性部材と、前記パンチガイドに設けられる前記パンチガイドに対して前記リテーナを着脱するためのロック手段及びロック解除用操作部と、を備えたパンチ金型であって、
前記リテーナは、前記パンチガイドの内周面に沿って挿入嵌合される筒状部と、前記筒状部の外周面に形成される凹溝と、を有し、
前記ロック手段は、前記パンチガイドの外周面に沿った周方向へ往復動自在に配置され、前記筒状部の前記凹溝と前記パンチガイドの軸線方向へ移動不能に係合する係止部と、前記係止部を前記凹溝との係合解除位置まで移動させる前記ロック解除用操作部と、を有し、
前記ロック解除用操作部は、前記パンチガイドの前記外周面に沿った円弧状に形成され、前記係止部及び前記筒状部の係合時において、前記パンチガイドの前記外周面よりも内側で露出するように配置したことを特徴とするパンチ金型。
【請求項２】
前記凹溝が、前記筒状部の前記外周面に沿って周方向全体に連続する環状溝であることを特徴とする請求項１記載のパンチ金型。
【請求項３】
前記ロック手段は、前記パンチガイドの前記外周面に沿って前記パンチガイドの中心線を通る放射方向と交差する直線方向へ往復動自在に配置されるロック片を有し、前記ロック片において前記パンチガイドの中心線を通る放射方向の内端に前記係止部が、前記パンチガイドの前記内周面から出没して、その突出時に前記筒状部の前記凹溝と前記パンチガイドの軸線方向へ移動不能に係合するように配置され、前記ロック片において前記パンチガイドの中心線を通る放射方向の外端に前記ロック解除用操作部が、前記パンチガイドの前記外周面に沿って露出するように配置されることを特徴とする請求項１又は２記載のパンチ金型。
【請求項４】
前記パンチヘッドは、前記リテーナに対して相対回転不能で、且つ、少なくともパンチストローク相当の軸線方向への相対移動を許容するように連結され、前記パンチボディの螺子部を軸線方向へ移動自在に螺合し、
前記パンチガイドと前記リテーナの連結部には、前記パンチガイドと前記リテーナを相互回転不能に係止する回り止め手段と、前記回り止め手段を係止解除方向へ移動させる回り止め解除用操作部を、前記ロック手段及び前記ロック解除用操作部と別個に設けたことを特徴とする請求項１、２又は３記載のパンチ金型。
【発明の詳細な説明】
【技術分野】
【０００１】
本発明は、パンチプレス機に採用するパンチ金型、特にパンチガイドに対するリテーナの着脱を簡単で迅速に行えるようにしたパンチ金型に関する。
【背景技術】
【０００２】
従来、この種のパンチ金型として、パンチガイドの上部内面に内周溝を備え、この内周溝の複数箇所には、パンチガイドの上面に連通した切欠き凹形状の連通路が備えられ、リテーナにおいて円筒状に突出する下面の複数箇所には、前記連通路を通過して前記内周溝に係合自在なフランジ状の係合突起部が形成されることにより、前記パンチガイドに対して前記リテーナの着脱が工具を用いることなしに容易に行えるようにしたものがある（例えば、特許文献１参照）。
さらに、前記リテーナの下面には、周溝及び係合凹部が設けられ、前記パンチガイドにおけるフランジ部には、係合ピンを備えたスライド部材を径方向（放射方向）へ移動自在に備え、このスライド部材がコイルスプリングなどの弾性部材によって放射外方向へ付勢されている。該弾性部材の付勢力に抗して前記スライド部材を放射内方向へ移動し、前記係合ピンを前記係合凹部から前記周溝の位置へ移動すると、前記パンチガイドに対して前記リテーナを相対的に回動することができ、この回転でパンチボディが上下動されることとなり、パンチヘッドからパンチ刃部までの高さ寸法を調節することができる。
また、前記リテーナに備えられた前記係合突起部を前記連通路の位置に位置決めすると、前記リテーナを前記パンチガイドの上部から取り外すことができるようにしている。
【先行技術文献】
【特許文献】
【０００３】
【特許文献１】特許第４４５１３７２号公報
【発明の概要】
【発明が解決しようとする課題】
【０００４】
しかし乍ら、このような従来のパンチ金型では、リテーナの筒状外周面に複数の係合突起部が露出して配置されるため、パンチガイドからリテーナを取り外した状態で他の物に打ち当てるなど乱暴に取り扱うと、係合突起部が変形や破損するおそれがあり、このような場合にはパンチガイドとの着脱ができなくなるという問題があった。
さらに、リテーナの筒状外周面に複数の係合突起部を一体に突出形成するには、これら係合突起部を除いた筒状外周面の大部分を切削加工しなければならず、リテーナの下面に周溝及び係合凹部が設けるには切削加工しなければならず、これら加工作業に時間を要してコスト高になるという問題があった。パンチガイドの筒状内周面に沿って内周溝が凹設されるとともに、内周溝の複数箇所に切欠き凹形状の連通路が凹設されるため、内周溝及び連通路の切削加工が困難でコスト高になるという問題があった。
また、リテーナの係合突起部とパンチガイドの連通路とが相互に対向する挿入位置においてのみ、パンチガイドに対してリテーナが着脱可能であり、パンチガイドとリテーナの回転方向の脱着位置が決まっていたため、着脱作業を行い難く、手間がかかるという問題があった。
またさらに、スライド部材の操作でハイト調整と、リテーナ及びパンチガイドの着脱を行っていたため、ハイト調整を行うため、パンチガイドに対してリテーナを回動している際に、リテーナの係合突起部がパンチガイドの連通路に位置合わせされると、意図せずにリテーナとパンチガイドが外れるおそれがあり、それによって落下事故などが発生するという問題があった。
【０００５】
本発明は、このような問題に対処することを課題とするものであり、パンチガイドに対するリテーナの嵌合面に突起部を形成せずにパンチガイドとリテーナを工具無しで容易に着脱すること、パンチガイドとリテーナを任意の挿入位置で着脱すること、などを目的とするものである。
【課題を解決するための手段】
【０００６】
このような目的を達成するために本発明は、円筒形状のパンチガイドと、前記パンチガイドの内部に軸線方向へ往復動自在に支持されてその端部にパンチ刃部を有するパンチボディと、前記パンチボディに取り付けられるパンチヘッドと、前記パンチガイドの端部に対して着脱自在に取り付けられるリテーナと、前記パンチヘッドと前記リテーナとの間に設けられる弾性部材と、前記パンチガイドに設けられる前記パンチガイドに対して前記リテーナを着脱するためのロック手段及びロック解除用操作部と、を備えたパンチ金型であって、前記リテーナは、前記パンチガイドの内周面に沿って挿入嵌合される筒状部と、前記筒状部の外周面に形成される凹溝と、を有し、前記ロック手段は、前記パンチガイドの外周面に沿った周方向へ往復動自在に配置され、前記筒状部の前記凹溝と前記パンチガイドの軸線方向へ移動不能に係合する係止部と、前記係止部を前記凹溝との係合解除位置まで移動させる前記ロック解除用操作部と、を有し、前記ロック解除用操作部は、前記パンチガイドの前記外周面に沿った円弧状に形成され、前記係止部及び前記筒状部の係合時において、前記パンチガイドの前記外周面よりも内側で露出するように配置したことを特徴とする。
【発明の効果】
【０００７】
前述した特徴を有する本発明は、パンチガイドの内周面に沿ってリテーナの筒状部を挿入嵌合し、筒状部の外周面に形成される凹溝へ向けてロック手段を移動させることにより、ロック手段が筒状部の凹溝と係合して、リテーナの筒状部がパンチガイドに対しその軸線方向へ移動不能に連結され、また、この連結状態においてロック解除用操作部でロック手段を移動させることにより、筒状部の凹溝とロック手段との係合が解除されて、パンチガイドからリテーナが取り外し可能となるので、パンチガイドに対するリテーナの嵌合面に突起部を形成せずにパンチガイドとリテーナを工具無しで容易に着脱することができる。
その結果、リテーナの筒状外周面に複数の係合突起部が露出して配置される従来のものに比べ、パンチガイドとリテーナを分離した状態で他の物に打ち当てるなど乱暴に取り扱ったとしても、変形や破損が発生し難くなり、パンチガイドとリテーナを長期に亘って確実に着脱することができる。
さらに、リテーナの筒状外周面に複数の係合突起部が切削加工される従来のものに比べ、筒状部の外周面に沿って凹溝を切削加工するだけなので、加工工数が短縮され、従来のもののようにパンチガイドの筒状内周面に沿って内周溝と連通路が凹設する必要もないので、加工工数が短縮され、切削加工が容易でコストの低減化が図れる。
【０００８】
特に、凹溝が筒状部の外周面に沿って周方向全体に連続する環状溝である場合には、パンチガイドの内周面に対するリテーナの筒状部の挿入時において、リテーナの筒状部が周方向へ回転しても、凹溝となる環状溝がロック手段と係合可能となるので、パンチガイドとリテーナを任意の挿入位置で着脱することができる。
その結果、パンチガイドとリテーナの回転方向の脱着位置が決まっている従来のものに比べ、任意の位置で着脱作業が行えるので、誰にでも速やかに着脱できて、使用勝手が良い。
【図面の簡単な説明】
【０００９】
【図１】本発明の実施形態に係るパンチ金型の全体構成を示す説明図（一部切欠正面図）である。
【図２】パンチガイドとリテーナを連結した状態の部分拡大図であり、（ａ）が横断平面図、（ｂ）が縦断正面図である。
【図３】パンチガイドとリテーナを分離した状態の部分拡大図であり、（ａ）が横断平面図、（ｂ）が縦断正面図である。
【図４】パンチガイドとリテーナを分離した状態の分解斜視図である。
【図５】本発明の他の実施形態に係るパンチ金型を示す部分拡大した横断平面図である。
【図６】本発明の他の実施形態に係るパンチ金型を示す部分拡大した横断平面図である。
【発明を実施するための形態】
【００１０】
以下、本発明の実施形態を図面に基づいて詳細に説明する。
本発明の実施形態に係るパンチ金型Ａは、図１〜図６に示すように、円筒形状に形成されるパンチガイド１と、このパンチガイド１の内部に軸線方向へ往復動自在に支持されてその端部にパンチ刃部２ａを有するパンチボディ２と、このパンチボディ２に取り付けられるパンチヘッド３と、パンチガイド１の端部に対して回転自在で且つ着脱自在に取り付けられるリテーナ４と、パンチヘッド３とリテーナ４との間に設けられてパンチボディ２を復帰動させるための例えばスプリングなどからなる弾性部材５を、主要な構成要素として備えている。
【００１１】
パンチガイド１は、パンチプレス機のパンチホルダ（図示せず）に保持される円筒形状のガイドである。
パンチガイド１においてその軸線方向の後述するリテーナ４側の端部には、パンチガイド１の内周面１ａから後述するリテーナ４側の筒状部４ａへ向け出没動自在に設けられる後述するロック手段６と、ロック手段６を係合解除方向へ移動させる後述するロック解除用操作部７とを有している。
詳しく説明すると、パンチガイド１においてその軸線方向の後述するリテーナ４側の端部には、パンチガイド１の内周面１ａから外周面１ｂに亘って連通するように通孔１ｃが形成され、この通孔１ｃには、後述するロック手段６と、後述するロック解除用操作部７が配置される。
【００１２】
リテーナ４は、パンチガイド１の内側に摺動隙間を介してパンチガイド１の軸線方向へ挿入嵌合される筒状部４ａと、この筒状部４ａの外周面に形成される凹溝４ｂを有するリテーナカラーである。
筒状部４ａは、その外径がパンチガイド１の内径よりも若干小さく突出形成され、パンチガイド１の内周面１ａに沿ってリテーナ４の筒状部４ａを挿入することにより、互いに嵌合するように構成され、その外周面には、後述するロック手段６と係合する凹溝４ｂが形成されている。
凹溝４ｂとしては、筒状部４ａの外周面に沿って周方向全体に連続する環状溝であることが好ましい。
筒状部４ａの端部には、パンチガイド１においてリテーナ４側の端面に沿って環状に突出するフランジ部４ｃを、一体に設けている。
【００１３】
ロック手段６は、パンチガイド１の軸線方向と交差する方向へ往復動自在なロック片６ａを有する。
詳しく説明すると、ロック片６ａは、パンチガイド１の外周面１ｂに沿った周方向か、又はパンチガイド１の中心線を通る放射方向に沿った直線方向などへ向けて往復動自在に設けられている。
ロック手段６の設置状態においてロック片６ａの一端、詳しくはパンチガイド１の中心線を通る放射方向の内端は、パンチガイド１の通孔１ｃを通って内周面１ａから出没するように配置されている。この内端には、ロック片６ａの突出移動によって、リテーナ４の筒状部４ａの凹溝４ｂとパンチガイド１の軸線方向へ移動不能に係合する係止部６ｂが形成されている。
ロック手段６の設置状態においてロック片６ａの他端、詳しくはパンチガイド１の中心線を通る放射方向の外端は、パンチガイド１の通孔１ｃから外周面１ｂへ向けて露出するように配置されている。この外端の露出部分には、ロック解除用操作部７が形成されている。
さらに、ロック手段６には、係止部６ｂをパンチガイド１の内周面１ａからリテーナ４の筒状部４ａの凹溝４ｂへ向けて突出させるように弾性的に押圧する押圧手段６ｃを設けることが好ましい。
【００１４】
図２（ａ）（ｂ）、図３（ａ）（ｂ）及び図４に示される例では、ロック手段６のロック片６ａが平板状に形成され、ロック片６ａに貫通開穿した長孔６ｄに対し、パンチガイド１の通孔１ｃに設けられた支持ピン１ｄを挿通することにより、ロック片６ａが、パンチガイド１の外周面１ｂに沿った周方向、すなわちパンチガイド１の中心線を通る放射方向と交差する直線方向に沿って往復動自在に配置されている。
【００１５】
平板状のロック片６ａは、パンチガイド１の中心線を通る放射方向の内端が、リテーナ４の筒状部４ａの外周面に沿った円弧状に凹んで、その端部の突出部分を係止部６ｂとするとともに、パンチガイド１の中心線を通る放射方向の外端が、パンチガイド１の外周面１ｂに沿った円弧状に突出するように略三日月形に形成されている。
ロック片６ａにおいて円弧状に突出する外端部分には、ロック解除用操作部７として、指先などと滑らずに接触するように凹凸部が形成されている。ロック解除用操作部７となる凹凸部に指先が接触し易くなるように、パンチガイド１の外周面１ｂには、通孔１ｃの周囲に凹み部１ｅを形成することが好ましい。
ロック片６ａの長孔６ｄと支持ピン１ｄの間には、押圧手段６ｃとしてコイルばねが設けられている。
【００１６】
また、その他の例として図示しないが、ロック片６ａを平板状に代えて軸状に形成したり、ロック片６ａをパンチガイド１の外周面１ｂに沿った直線方向ではなく、パンチガイド１の中心線を通る放射方向に沿った直線方向へ向けて往復動自在に配置することも可能である。
図示例では、ロック手段６をパンチガイド１に対して周方向へ１つのみ設けている。
またさらに、パンチガイド１に対するリテーナ４の挿入に伴い、互いに対向して突き当たるリテーナ４の筒状部４ａの先端縁と、ロック手段６の係止部６ｂとをそれぞれ傾斜状に形成し、挿入されたリテーナ４の筒状部４ａの先端縁を、ロック手段６の係止部６ｂに突き当てることにより、ロック手段６の係止部６ｂが自動的に逃げ移動して、リテーナ４の凹溝４ｂがロック手段６の係止部６ｂと対向する位置まで到達した時点で、押圧手段６ｃによりロック手段６の係止部６ｂが突出移動してリテーナ４の凹溝４ｂと係合するように構成することも可能である。
【００１７】
ここで、パンチガイド１とリテーナ４の着脱方法について説明する。
図１及び図２（ａ）（ｂ）に示される状態では、押圧手段６ｃによりロック手段６のロック片６ａが、その係止部６ｂをパンチガイド１の内周面１ａから突出させるように弾性的に押圧されている。
それにより、リテーナ４の筒状部４ａの凹溝４ｂとパンチガイド１の軸線方向へ移動不能に係合して、パンチガイド１とリテーナ４が連結されている。
【００１８】
この連結状態で、図３（ａ）に示されるように、指先などでロック解除用操作部７を押動し、ロック手段６のロック片６ａが押圧手段６ｃに抗して係止部６ｂをリテーナ４の筒状部４ａの凹溝４ｂから離し、パンチガイド１の内周面１ａに没入するように操作すると、係止部６ｂとリテーナ４の筒状部４ａの凹溝４ｂとの係合が解除されて、図３（ｂ）及び図４に示されるように、パンチガイド１の内周面１ａからリテーナ４の筒状部４ａが取り外し可能となる。
【００１９】
このような本発明の実施形態に係るパンチ金型Ａによると、パンチガイド１の内周面１ａに沿ってリテーナ４の筒状部４ａを挿入嵌合され、筒状部４ａの凹溝４ｂへ向けロック手段６を移動して互い係合させることにより、リテーナ４の筒状部４ａがパンチガイド１に対しその軸線方向へ移動不能に連結され、また連結状態においてロック解除用操作部７でロック手段６を移動して凹溝４ｂとロック手段６との係合を解除させることにより、パンチガイド１からリテーナ４が取り外し可能となる。
それにより、パンチガイド１に対するリテーナ４の嵌合面に突起部を形成せずに、パンチガイド１とリテーナ４を工具無しで容易に着脱することができる。
【００２０】
特に、凹溝４ｂが筒状部４ａの外周面に沿って周方向全体に連続する環状溝である場合には、パンチガイド１の内周面１ａに対するリテーナ４の筒状部４ａの挿入時において、これらのいずれか一方が他方に対し周方向へ回転してパンチガイド１の内周面１ａとリテーナ４の筒状部４ａの相対位置が周方向へ変化しても、凹溝４ｂとなる環状溝がロック手段６と係合可能となる。
それにより、パンチガイド１とリテーナ４を任意の挿入位置で着脱することができる。
その結果、誰にでも速やかに着脱できて、使用勝手が良い。
【００２１】
さらに、図２（ａ）（ｂ）、図３（ａ）（ｂ）及び図４に示されるように、ロック手段６のロック片６ａを、パンチガイド１の外周面１ｂに沿った周方向、すなわちパンチガイド１の中心線を通る放射方向と交差する直線方向へ向けて往復動自在に配置した場合には、使用者が片手でパンチガイド１を持ちながら、その指先でロック解除用操作部７を操作して、ロック片６ａをパンチガイド１の外周面１ｂに沿った周方向へ往復動させることにより、ロック手段６の係止部６ｂがロック解除方向へ移動可能となって、もう一方の片手でリテーナ４側を持ったまま、パンチガイド１に対するリテーナ４側の着脱作業が行える。
それにより、パンチガイド１とリテーナ４をそれぞれ両手で持ちながら容易に着脱することができる。
その結果、パンチガイド１とリテーナ４の着脱作業を安全に行えて、落下などの事故を防止できる。
次に、本発明の各実施例を図面に基づいて説明する。
【実施例１】
【００２２】
この実施例１は、図１〜図４に示すように、凹溝４ｂが筒状部４ａの外周面に沿って周方向全体に連続する環状溝であり、リテーナ４に対してパンチヘッド３を相対回転不能で、且つ、少なくともパンチストローク相当の軸線方向への相対移動が許容されるように連結し、パンチヘッド３にパンチボディ２の螺子部２ｂを軸線方向へ移動自在に螺合させるとともに、パンチボディ２をパンチガイド１に対して相対回転不能に配置させ、パンチガイド１とリテーナ４の相対回転により、パンチ刃部２ａのハイト調整が工具なしで行えるようにしたものである。
【００２３】
パンチガイド１とリテーナ４の連結部には、これらパンチガイド１及びリテーナ４の相対回転を止めるための回り止め手段８と、回り止め手段８をパンチガイド１とリテーナ４との相互回転が可能となるように移動させる回り止め解除用操作部９を、ロック手段６及びロック解除用操作部７と別個に設けている。
【００２４】
回り止め手段８は、パンチガイド１とリテーナ４を相互回転不能に係止するものであり、パンチガイド１に対して軸線方向へ移動自在に支持される係止部８ａと、リテーナ４のフランジ部４ｃに設けられて係止部８ａの先端が嵌入する係止孔８ｂと、係止部８ａをリテーナ４の係止孔８ｂへ向けて弾性的に押圧する付勢手段８ｃと、外部から操作により付勢手段８ｃに抗して係止部８ａを係止孔８ｂから外れる位置に移動させる回り止め解除用操作部９とを備えている。
【００２５】
図１〜図４に示される例では、係止部８ａは、パンチガイド１に外周に軸線方向へ開設された保持孔１ｆに対して挿着されたピンであり、このピンの末端と保持孔１ｆの間には付勢手段８ｃとしてコイルばねが設けられ、該ピンの中間位置には回り止め解除用操作部９としてリリースボタンが一体形成され、このリリースボタンは、保持孔１ｆと連続して形成される凹部１ｇを通って外部に開放させており、指先などで外部から操作可能にしている。
図１〜図４に示される例では、係止孔８ｂは、リテーナ４のフランジ部４ｃに周方向へ等間隔毎に複数開設され、これら係止孔８ｂのいずれか一つに係止部８ａのピンを嵌入させることにより、パンチガイド１に対するリテーナ４の回転量を調整可能にしている。
【００２６】
さらに、図１〜図４に示される例では、パンチヘッド３は、そのスリーブ部３ａの先端外周に凸部３ｂを一体に形成している。リテーナ４の筒状部４ａの内周面には、パンチヘッド３の凸部３ｂが軸線方向へ通過する溝部４ｄと、パンチヘッド３の凸部３ｂと軸方向へ係合する凹部４ｅが形成されている。パンチヘッド３のスリーブ部３ａの先端外周に形成された凸部３ｂを、溝部４ｄの位置に沿ってリテーナ４の下端側に抜けるところまで挿通し、その後、パンチヘッド３のスリーブ部３ａとリテーナ４を相対回転させて凸部３ｂを凹部４ｅに係合させることにより、パンチヘッド３がリテーナ４に対して相対的に回転不能に連結されるとともに、パンチボディ２の螺子部２ｂに対して軸線方向へ移動自在に螺合される。パンチボディ２は、その外周に設けたキー２ｃをパンチガイド１に形成された軸線方向のキー溝１ｈに係合させてパンチガイド１との相対回転を阻止している。
【００２７】
それにより、回り止め解除用操作部９の手動操作で係止部８ａを移動してリテーナ４の係止孔８ｂから外すと、リテーナ４をパンチガイド１に取り付けたままで、パンチガイド１に対して相対回転させることが可能になる。その相対回転によりパンチボディ２とパンチヘッド３が相対回転して、パンチ刃部２ａが軸線方向へ移動可能となり、刃先のハイトが変化する。
したがって、パンチガイド１にリテーナ４とパンチボディ２を取り付けたまま、工具なしで摩耗したパンチ刃部２ａのハイト調整を行うことができる。
【００２８】
このような本発明の実施例に係るパンチ金型Ａによると、ハイト調整中におけるパンチガイド１とリテーナ４の分離を防止することができる。
その結果、スライド部材の操作でハイト調整と、リテーナ及びパンチガイドの着脱を行っている特許文献１のものに比べ、意図せずにパンチガイド１とリテーナ４が外れることがなく、不意な落下事故を防止できて安全であるという利点がある。
【実施例２】
【００２９】
この実施例２は、図５に示すように、ロック手段６をパンチガイド１に対して周方向へ複数個、それぞれ所定間隔毎に配置した構成が、図１〜図４に示した実施例１とは異なり、それ以外の構成は図１〜図４に示した実施例１と同じものである。
【００３０】
図５に示される例では、パンチガイド１に対してロック手段６を２個配置している。
また、その他の例として図示しないが、パンチガイド１に対してロック手段６を３個以上配置することも可能である。
【００３１】
このような本発明の実施例２に係るパンチ金型Ａによると、凹溝４ｂとなる環状溝とロック手段６との係合個所が増えるため、リテーナ４の筒状部４ａとパンチガイド１がガタ付くことなく確実に連結できるという利点がある。
【実施例３】
【００３２】
この実施例３は、図６に示すように、凹溝４ｂを環状溝に代えてロック手段６と対向する個所のみ周方向へ部分的に形成した構成が、図１〜図４に示した実施例１とは異なり、それ以外の構成は図１〜図４に示した実施例１と同じものである。
【００３３】
図６に示される例では、筒状部４ａの外周面に凹溝４ｂを、パンチガイド１の軸線方向と交差する方向へ直線状に切欠形成している。
また、その他の例として図示しないが、凹溝４ｂを穴状に形成することも可能である。
【００３４】
このような本発明の実施例３に係るパンチ金型Ａによると、パンチガイド１の内周面１ａに対するリテーナ４の筒状部４ａの挿入位置は限定されるものの、凹溝４ｂの切削加工が容易になってコストの低減化が図れるという利点がある。
【００３５】
なお、前示実施例では、パンチガイド１とリテーナ４の相対回転により、パンチ刃部２ａのハイト調整が工具なしで行えるようにしたが、これに限定されず、その他の手段によってパンチ刃部２ａのハイト調整が行えるようにしても良い。
【符号の説明】
【００３６】
１  パンチガイド                        １ａ  内周面
１ｂ  外周面                            ２  パンチボディ
２ａ  パンチ刃部                        ２ｂ  螺子部
３  パンチヘッド                        ４  リテーナ
４ａ  筒状部                            ４ｂ  凹溝
５  弾性部材                            ６  ロック手段
６ａ  ロック片                          ６ｂ  係止部
７  ロック解除用操作部                  ８  回り止め手段
９  回り止め解除用操作部
【図１】
0005650494.tif 000002
【図２】
0005650494.tif 000003
【図３】
0005650494.tif 000004
【図４】
0005650494.tif 000005
【図５】
0005650494.tif 000006
【図６】
0005650494.tif 000007